(57)【特許請求の範囲】
【請求項１】
露光開口部を有するシャッタ地板と、前記シャッタ地板の被写体側に配置されていて内部にミラーを配置しており該ミラーに設けられている操作ピンを外部へ突き出すための窓を一方の横壁に形成したミラーボックスと、前記窓の形成された横壁外に設けられていて前記操作ピンを操作して前記ミラーのアップ・ダウン作動を可能にするミラー作動部材と、前記シャッタ地板に回転可能に取り付けられていてセット作動時には初期位置から作動してシャッタ駆動部材をセットし該駆動部材の露光作動開始前には初期位置へ復帰しているセット部材と、前記セット部材を作動させるセット操作部材と、を備えており、前記ミラー作動部材は、ミラーアップ時において前記窓に臨んでいる面の殆どが、前記窓から遠ざかるにしたがって下方に傾斜した斜面として形成されていることを特徴とする一眼レフカメラ。
【請求項２】
前記セット部材が前記窓の形成された横壁外に設けられていて、該セット部材は、初期位置において前記窓に臨んでいる面が、前記シャッタ地板に近付くにしたがって前記窓から遠ざかるような斜面として形成されていることを特徴とする請求項１に記載の一眼レフカメラ。
【請求項３】
前記セット操作部材が前記窓の形成された横壁外に設けられていて、該セット操作部材は、前記セット部材が初期位置にあるとき、前記窓に臨んでいる面の殆どが、前記窓から遠ざかるにしたがって上方に傾斜した斜面として形成されていることを特徴とする請求項１又は２に記載の一眼レフカメラ。
【発明の詳細な説明】
【０００１】
【発明の属する技術分野】
本発明は、アップ・ダウン作動を行うミラーを収容したミラーボックスを備えている一眼レフカメラに関する。
【０００２】
【従来の技術】
周知のように、撮影に際してミラーをアップ・ダウンさせる一眼レフカメラにおいては、多くの場合、そのミラーをミラーボックス内に配置している。そして、そのミラーボックスは、内壁を方形の筒状に形成されていて、上部の壁には、ミラーで反射した被写体光をファインダ光学系へ導くための開口が形成されている。また、左右の横壁にはミラーが回転可能に取り付けられており、一方の横壁に形成された窓から外部へ突き出されているミラーの操作ピンを、その横壁外に設けられたミラー作動部材が操作して、ミラーのアップ・ダウン作動が行なわれるようになっている。そして、各内壁面には、反射光を減衰させるために各種の反射防止対策が講じられており、通常は壁面を粗面化した上に反射防止塗膜を形成するようにしている。
【０００３】
他方、この種の一眼レフカメラにはフォーカルプレンシャッタが用いられているが、最近のフォーカルプレンシャッタは、構成や機能に夫々違いがあるにしても、シャッタのセット部材は、その殆どが、例えば特開２０００−３１４９０６号公報に記載されているように、露光開口の一方の側方位置に配置され、シャッタ地板に立設された軸上で回転可能であるように構成されている。そして、このセット部材は、上記したミラーのアップ・ダウン作動と連動して一つの駆動手段（モータ）によって作動させられるため、上記のミラー作動部材と近接し、上記の窓の外側に配置されるようになっている。
【０００４】
【発明が解決しようとする課題】
ところで、上記したように、ミラーボックスの内壁面は粗面化されたり塗膜処理がなされていて、反射光が著しく減衰されるようになっているため、仮に反射光が結像面に達したとしても、フレア等の要因にはならないようになっている。ところが、カメラの小型化に伴って、上記のミラー作動部材を、上記の窓を形成した横壁に近接して配置することから、その窓に臨んでいるミラー作動部材の部位で反射された光が、十分に散乱されたり減衰されることなく、結像面に達してしまうことがある。
【０００５】
また、カメラの小型化に対応してシャッタも小型化され、上記のセット部材の配置位置がミラーボックス側に寄ってきたり、その他の設計上の理由によってセット部材をミラーボックス側に寄せざるを得ない場合には、上記の窓を大きくし、セット部材の作動に影響を与えないようにしているが、そのような構成にした場合には、セット部材の一部や、そのセット部材を作動させるためのセット操作部材の一部が上記の窓に臨むことになって、それらの部位で反射された光が、十分に散乱されたり減衰されることなく、結像面に達してしまうことがある。
【０００６】
本発明は、このような問題点を解決するためになされたものであり、その目的とするところは、ミラーボックスの一方の横壁外に近接して配置され、撮影中にその一部を該横壁に形成された窓に臨ませている部材を、従来とは異なる形状に構成し、その部材で反射した光が撮像面に達するのを軽減するようにした一眼レフカメラを提供することである。
【０００７】
【課題を解決するための手段】
上記の目的を達成するために、本発明の一眼レフカメラは、露光開口部を有するシャッタ地板と、前記シャッタ地板の被写体側に配置されていて内部にミラーを配置しており該ミラーに設けられている操作ピンを外部へ突き出すための窓を一方の横壁に形成したミラーボックスと、前記窓の形成された横壁外に設けられていて前記操作ピンを操作して前記ミラーのアップ・ダウン作動を可能にするミラー作動部材と、前記シャッタ地板に回転可能に取り付けられていてセット作動時には初期位置から作動してシャッタ駆動部材をセットし該駆動部材の露光作動開始前には初期位置へ復帰しているセット部材と、前記セット部材を作動させるセット操作部材と、を備えており、前記ミラー作動部材は、ミラーアップ時において前記窓に臨んでいる面の殆どが、前記窓から遠ざかるにしたがって下方に傾斜した斜面として形成されているようにする。
【０００８】
また、本発明の一眼レフカメラにおいては、前記セット部材が前記窓の形成された横壁外に設けられていて、該セット部材は、初期位置において前記窓に臨んでいる面が、前記シャッタ地板に近付くにしたがって前記窓から遠ざかるような斜面として形成されているようにすると、セット部材の配置構成に自由度が出て、例えばシャッタを小型化しても、セット部材から反射して結象面に達する光を少なくすることが可能になる。
【０００９】
また、本発明の一眼レフカメラにおいては、前記セット操作部材が前記窓の形成された横壁外に設けられていて、該セット操作部材は、前記セット部材が初期位置にあるとき、前記窓に臨んでいる面の殆どが、前記窓から遠ざかるにしたがって上方に傾斜した斜面として形成されているようにすると、セット部材から反射して結象面に達する光も少なくすることが可能になる。
【００１０】
【発明の実施の形態】
本発明の実施の形態を、図１〜図４に示した実施例によって説明する。尚、図１は、実施例の全体的な構成が理解できるようにするために、被写体側から見て示した正面図であり、図２は図１の左側から見た側面図である。また、図３及び図４は、実施例の要部を理解できるように示した斜視図であって、図３はミラーがダウンしている状態を示し、図４はミラーがアップして撮影が行なわれている状態を示したものである。
【００１１】
先ず、本実施例の構成を説明する。図１に示すように、本実施例のミラーボックス１は、四つの壁１ａ，１ｂ，１ｃ，１ｄを有していて、内部に直方体の空間を形成している。そして、その被写体側にはレンズのマウント部材２が取り付けられ、反対側にはフォーカルプレンシャッタ３が配置されている。また、ミラー４はミラーボックス１内に配置され、左右の二つの横壁１ａ，１ｃによって軸部４ａ，４ｂを回転可能に支承され、図示していないばねによって、図２において時計方向へ回転するように付勢されている。更に、ミラー４には操作ピン４ｃが設けられており、それを、横壁１ａに形成された窓１ｅ（図２参照）を貫通させ、ミラーボックス１外へ突き出している。また、ミラーボックス１の上壁１ｂには、図示していない開口が形成されていて、ミラー４で反射した被写体光をファインダ光学系５へ導くようになっている。
【００１２】
そして、このような構成のミラーボックス１は、図３及び図４に誇張して示したように、その内壁面を凹凸に形成し、しかも、その表面には反射防止用の塗装処理がなされている。また、そのような塗装処理は、一部をミラーボックス１内に臨ませているフォーカルプレンシャッタ３のシャッタ地板３ａにも施されている。そして、そのシャッタ地板３ａは、周知のように、露光開口部３ｂを有しているほか、背面側には、シャッタ羽根の羽根室を構成している。また、シャッタ地板３ａの被写体側には、二点鎖線でブロックとして示した周知のシャッタ開閉機構６が取り付けられている。
【００１３】
更に、図１においては、セット部材７の平面形状が示されているが、図２〜図４においてはその一部だけを示している。そして、このセット部材７は、周知のように、シャッタ地板３ａに立設された軸３ｃに回転可能に取り付けられていて、シャッタのセット時には、シャッタ羽根と連結された図示していない駆動部材を、駆動ばねの付勢力に抗してセット作動させるようになっている。本実施例においては、このセット部材７の被押動部７ａが、従来のものとは異なる形状をしているが、そのことについては後述する。
【００１４】
図１に示すように、ミラーボックス１の壁１ａには、複数のビス８によって取付板９が取り付けられている。この取付板９には、図示していない適宜な手段によってモータ１０が取り付けられているが、その出力軸に取り付けられた歯車１１は、壁１ａと取付板９の間に配置されている。また、壁１ａと取付板９の間には、複数の部材が配置されているが、図１においては、セット部材７の被押動部７ａと壁１ａとの位置関係を分かり易くするために、それらの図示を省略している。
【００１５】
そこで、それらの部材を、図２を用いて説明する。ミラーボックス１の壁１ａには、その外部に軸１ｆ，１ｇ，１ｈ，１ｉ，１ｊが立設され、軸１ｆ，１ｇ，１ｈ，１ｉには、夫々、歯車１２，１３，１４，１５が回転可能に取り付けられ、上記の歯車１１と共に歯車列を構成している。そして、歯車１４，１５は、壁１ａ側にカム盤１４ａ，１５ａを一体的に形成している。また、軸１ｊには、ミラー作動部材１６とセット操作部材１７が回転可能に取り付けられていて、図示していない夫々のばねによって時計方向へ回転するように付勢されているが、ミラー作動部材１６に掛けられたばねの付勢力は、上記したミラー４に掛けられていてミラー４を時計方向へ回転させるように付勢しているばねの付勢力よりも大きくさせられている。そして、ミラー作動部材１６の一方の腕部はミラー４の操作ピン４ｃに接触し、他方の腕部はカム盤１５ａのカム面に接触しており、セット操作部材１７の一方の腕部はセット部材７の被押動部７ａに接触し、他方の腕部はカム盤１４ａのカム面に接触している。
【００１６】
ところで、これまで説明した構成は、特に特徴ある構成とは言えない。そこで、次に、本発明に関係する特徴的な構成を説明することになるが、その前に、図１及び図２を用いて、これまで説明した構成の作動を説明し、その意義を確認しておくことにする。先ず、図１及び図２は、ミラー４がダウン状態となっていて、撮影をしていないときの状態を示している。そのため、マウント部２に取り付けた図示していない撮影レンズを被写体に向けると、ファインダ光学系５によって被写体を観察することが可能になっている。他方、フォーカルプレンシャッタ３はセット状態になっていて、セット部材７は、図示していない先羽根用駆動部材と後羽根用駆動部材とをセット状態に維持し、先羽根によって露光開口部３ｂを閉じている。
【００１７】
撮影を行うに際してレリーズボタンを押すと、先ず、上記の二つの駆動部材が、それまではセット部材７によって単に接触させられていた図示していない夫々の電磁石によって磁気的に吸着保持される。次に、モータ１０が回転して、歯車１４，１５が回転させられると、ミラー作動部材１６とセット操作部材１７が、夫々のばねによって、カム盤１５ａ，１４ａのカム面に追従して、図２において時計方向へ回転する。そして、ミラー作動部材１６は、操作ピン４ｃを押してミラー４をアップさせる。他方、セット操作部材１７は、セット部材７の被押動部７ａから退いていくので、セット部材７は、それに追従して、図示していない復帰ばねの付勢力によって、図１において反時計方向へ回転していく。そして、ミラー４が完全にアップ状態になり、セット部材７が初期位置に復帰すると、モータ１０の回転が停止する。
【００１８】
その後、露光制御回路によって、上記の二つの電磁石に対する通電が順に断たれ、先羽根と後羽根が、先羽根用駆動部材と後羽根用駆動部材に走行させられて露光作動が終了すると、再度、モータ１０が回転させられるが、そのとき、本実施例の場合には、カム盤１４ａ，１５ａの形状によって、上記と同一方向へ回転させても、反対方向へ回転させても構わないようになっている。そして、その回転によって、ミラー作動部材１６とセット操作部材１７は、カム盤１５ａ，１４ａに押されて、図２において反時計方向へ回転させられる。そのため、ミラー４は、その操作ピン４ｃがミラー作動部材１６に追従してダウン作動を行い、セット部材７は、その被押動部７ａをセット操作部材１７に押されて、図１に示された初期位置から時計方向へ回転し、各羽根に連結されている先羽根用駆動部材と後羽根用駆動部材をセットしていく。そして、ミラー４がダウン状態になり、上記の各駆動部材が夫々の電磁石に接触すると、モータ１０の回転が停止し、図１及び図２の状態になる。
【００１９】
このような作動説明からも分かるように、ミラー作動部材１６とセット操作部材１７とは、通常、共通のモータ１０によって作動させられるので、ミラーボックス１の横壁１ａの外側に近接させて配置するのが好ましい。また、図１から理解することができるように、シャッタの外形を出来るだけ小さくしようとすると、特別の工夫をしない限り、セット部材７が必然的に横壁１ａに接近することになるし、小型化とは直接関係がなくても、セット部材７を横壁１ａに近接させて配置したい場合がある。従って、そのような要求が強い場合には、セット部材７が、横壁１ａによって、その作動を妨げられないようにするために、横壁１ａに形成されている窓１ｅを、図２に示すように大きく形成する必要がでてくる。
【００２０】
このようなことから、ミラー作動部材１６の一部は、必ず近接した位置で窓１ｅに臨むことになるし、本実施例のようにセット部材７の配置位置を考慮して窓１ｅを大きくした場合には、セット部材７の一部やセット操作部材１７の一部が、必ず近接した位置で窓１ｅに臨むことになる。そして、それらの部位が窓１ｅに臨ませている面は、壁１ａの内壁面と略平行となっている。このような窓１ｅに対する近接配置状態は、撮影が行なわれていないときには問題とはならないが、撮影中の場合には問題となる場合がある。即ち、ミラーボックス１の内壁は、上記したように、反射防止対策がなされているが、近接して窓１ａに臨んでいる各部位に、何らかの反射防止対策が行なわれていない場合には、その部位で反射された光がフィルム等の結像面に達し、露光条件に悪影響を及ぼしてしまうからである。
【００２１】
ところで、本実施例のようなセット部材７，ミラー作動部材１６，セット操作部材１７は、通常、合成樹脂で製作されている。そのため、塗装処理によって反射防止を行うようにすると、コストが大幅にアップしてしまう。また、表面に特別な凹凸を形成しようとすると、金型の構成が複雑になってやはりコストアップになってしまう。そこで、本実施例の場合には、殆どコストアップとはならずに、上記のような反射を好適に軽減できるようにしている。そこで、次に、図３及び図４を用いて、本実施例の特徴的な構成を説明する。
【００２２】
図３及び図４は、ミラーボックス１内から上記の窓１ｅの方向を視た斜視図であって、ミラーボックス１については、壁１ａの内壁面を構成する領域だけを示してある。そして、図３はミラー４のダウン状態を示したものであり、図４はミラー４のアップ状態を示したものである。これらの図から分かるように、本実施例のミラー作動部材１６は、操作ピン４ｃを押す面が、壁１ａの内壁面に対して略垂直となるように形成されているが、窓１ｅに臨んでいる面の殆どは、壁１ａの内壁面に対して傾斜した下向きの斜面１６′として形成されている。
【００２３】
また、本実施例におけるセット部材７の被押動部７ａは、図面上理解しにくいかも知れないが、図４において窓１ｅに臨んでいる面が、シャッタ地板３ａに近づくにしたがって、窓１ｅから遠ざかるような斜面７ａ′として形成されている。更に、本実施例のセット操作部材１７は、図４において窓１ｅに臨んでいる面の殆どが、壁１ａの内壁面に対して上向きに傾斜した斜面１７′として形成されている。
【００２４】
従って、本実施例においては、図４の状態において、撮影レンズから広がりをもって進行してきた光は、セット部材７の斜面７ａ′には殆ど当たらず、また、当たったものはその殆どが窓１ｅの外方向に反射されることになる。また、セット操作部材１７の斜面１７′に当たった光は、その殆どが露光開口部３ｂの上方へ反射されることになる。更に、ミラー作動部材１６の斜面１６′に当たった光は、斜面１６′が下向きになっていても、窓１ｅの上方位置にあって光が斜め下側から当たることにより、やはり、その殆どが露光開口部３ｂの上方へ反射されることになる。このようにして、本実施例の場合には、露光開口部３ｂに入ってくる反射光は激減し、好適な露光が行なわれる。尚、本実施例においては、上記のように各斜面を形成しているが、撮影中において、それらの斜面がどのような位置を占めているかによって、その傾斜方向や傾斜角度を変える必要があることは言うまでもない。
【００２５】
尚、上記の実施例においては、フォーカルプレンシャッタが、夫々、複数枚の羽根からなる先羽根と後羽根という二つのシャッタ羽根を備えていて、それらが先羽根用駆動部材と後羽根用駆動部材によって作動させられるタイプの場合を想定して説明した。このようなタイプのシャッタは、フィルムを用いるカメラにも使用することができるし、デジタルカメラにも使用することが可能である。また、デジタルカメラに使用されるシャッタには、シャッタ羽根と駆動部材が一つしか備えられていないものがあり、また、その場合であっても、シャッタ羽根が１枚の羽根しか有していないものもある。本発明は、そのようなシャッタを備えたカメラにも適用することが可能である。
【００２６】
【発明の効果】
以上のように、本発明によれば、ミラーボックスの横壁に窓を設け、そこにミラー作動部材の一部を近接して配置しても、その窓に臨んでいる部位に、上記横壁の内壁面に対して傾斜した面が形成されているので、撮影中に、その部位から反射した光は殆ど撮像面に達することがない。また、シャッタのセット部材や、それを作動させるセット操作部材にも、同様な傾斜面を形成することによって、安心してセット部材をミラーボックスに寄せて配置することが可能となる。
【図面の簡単な説明】
【図１】実施例の全体的な構成が理解できるようにするために、被写体側から見て示した正面図である。
【図２】図１の左側から見た側面図である。
【図３】実施例の要部を理解できるように示した斜視図であって、ミラーのダウン状態を示したものである。
【図４】図３と同じようにして示した斜視図であって、ミラーがアップして撮影が行なわれている状態を示したものである。
【符号の説明】
１                            ミラーボックス
１ａ，１ｂ，１ｃ，１ｄ        壁
１ｅ                          窓
１ｆ，１ｇ，１ｈ，１ｉ，１ｊ，３ｃ  軸
２                            マウント部材
３                            フォーカルプレンシャッタ
３ａ                          シャッタ地板
３ｂ                          露光開口部
４                            ミラー
４ａ，４ｂ                    軸部
４ｃ                          操作ピン
５                            ファインダ光学系
６                            シャッタ開閉機構
７                            セット部材
７ａ                          被押動部
７ａ′，１６′，１７′        斜面
８                            ビス
９                            取付板
１０                          モータ
１１，１２，１３，１４，１５  歯車
１４ａ，１５ａ                カム盤
１６                          ミラー作動部材
１７                          セット操作部材
【図１】
0004781551.tif 000002
【図２】
0004781551.tif 000003
【図３】
0004781551.tif 000004
【図４】
0004781551.tif 000005